(57)【要約】      （修正有）【課題】パルプの叩解効率の向上を図ったリファイナを提供する。【解決手段】リファイナ１は、ステータ４とロータ３との間でパルプを叩解するリファイナ１であって、ロータ３は、直線状のバー３１ａと直線状のバー３１ａとの間に直線状の溝３１ｂを有するコニカル形で、ロータ３の外周は円形状で、バー３１ａの前記円形状の外周Ｇにおける接線Ｓに対して、接線Ｓとバー３１ａとがなす角度の内、ロータ３の回転方向に向かう側の角度θが鋭角となるように傾斜して形成され、バー３１ａと溝３１ｂは、複数であり、複数のバー３１ａを横切って複数の溝３１ｂに連通するように設けられた少なくとも一つの弧状の横断溝３１ｃと、この弧状の横断溝３１ｃは、ロータ３の円形状の外周Ｇに対してロータ３の回転方向に行くに従って遠ざかるように傾斜して形成されている。【選択図】図４
2007113138.tif 000002
【特許請求の範囲】
【請求項１】
ステータとロータとの間でパルプを叩解するリファイナであって、
前記ロータは、直線状のバーと直線状のバーとの間に直線状の溝を有するコニカル形で、
前記ロータの外周は円形状で、前記バーの前記円形状の外周における接線に対して、前記接線と前記バーとがなす角度の内、前記ロータの回転方向に向かう側の角度が鋭角となるように傾斜して形成され、
前記バーと前記溝は、複数であり、
複数の前記バーを横切って複数の前記溝に連通するように設けられた少なくとも一つの弧状の横断溝と、
この弧状の横断溝は、前記ロータの円形状の外周に対して前記ロータの回転方向に行くに従って遠ざかるように傾斜して形成されている
ことを特徴とするリファイナ。
【請求項２】
ステータとロータとの間でパルプを叩解するリファイナであって、
前記ロータは、直線状のバーと直線状のバーとの間に直線状の溝を有するコニカル形のロータで、
前記ロータの外周は円形状で、前記バーの前記円形状の外周における接線に対して、前記接線と前記バーとがなす角度の内、前記ロータの回転方向に向かう側の角度が鋭角となるように傾斜して形成され、
前記バーと前記溝は、複数であり、
複数の前記バーを横切って複数の前記溝に連通するように設けられた少なくとも一つの弧状の横断溝と、
この弧状の横断溝は、前記ロータの円形状の外周に対して前記ロータの回転方向に行くに従って近づくように傾斜して形成されている
ことを特徴とするリファイナ。
【請求項３】
ステータとロータとの間でパルプを叩解するリファイナであって、
前記ロータは、直線状のバーと直線状のバーとの間に直線状の溝を有するコニカル形のロータで、
前記ロータの外周は円形状で、前記バーの前記円形状の外周における接線に対して、前記接線と前記バーとがなす角度の内、前記ロータの回転方向に向かう側の角度が鋭角となるように傾斜して形成され、
前記バーと前記溝は、複数であり、
複数の前記バーを横切って複数の前記溝に連通するように設けられた弧状の第１の横断溝と、
この弧状の第１の横断溝は、前記ロータの円形状の外周に対して前記ロータの回転方向に行くに従って遠ざかるように傾斜して形成され、
前記弧状の第１の横断溝と離間し、複数の前記バーを横切って複数の前記溝に連通するように設けられた弧状の第２の横断溝と、
この弧状の第２の横断溝は、前記ロータの円形状の外周に対して前記ロータの回転方向に行くに従って近づくように傾斜して形成されている
ことを特徴とするリファイナ。
【請求項４】
ステータとロータとの間でパルプを叩解するリファイナであって、
前記ロータは、直線状のバーと直線状のバーとの間に直線状の溝を有するコニカル形のロータで、
前記ロータの外周は円形状で、前記バーの前記円形状の外周における接線に対して、前記接線と前記バーとがなす角度の内、前記ロータの回転方向に向かう側の角度が鋭角となるように傾斜して形成され、
前記バーと前記溝は、複数であり、
複数の前記バーを横切って複数の前記溝に連通するように設けられた弧状の第１の横断溝と、
この弧状の第１の横断溝は、前記ロータの円形状の外周に対して前記ロータの回転方向に行くに従って遠ざかるように傾斜して形成され、
複数の前記バーを横切って複数の前記溝に連通するように設けられた弧状の第２の横断溝と、
この弧状の第２の横断溝は、前記ロータの円形状の外周に対して前記ロータの回転方向に行くに従って近づくように傾斜して形成され、
前記弧状の第１の横断溝と前記弧状の第２の横断溝とは、クロスしている
ことを特徴とするリファイナ。
【請求項５】
ステータとロータとの間でパルプを叩解するリファイナであって、
前記ロータは、直線状のバーと直線状のバーとの間に直線状の溝を有するコニカル形のロータで、
前記ロータの外周は円形状で、前記バーの前記円形状の外周における接線に対して、前記接線と前記バーとがなす角度の内、前記ロータの回転方向に向かう側の角度が鋭角となるように傾斜して形成され、
前記バーと前記溝は、複数であり、
複数の前記バーを横切って複数の前記溝に連通するように設けられた弧状の第１の横断溝と、
この弧状の第１の横断溝は、前記ロータの円形状の外周に対して前記ロータの回転方向に行くに従って遠ざかるように傾斜して形成され、
複数の前記バーを横切って複数の前記溝に連通するように設けられた弧状の第２の横断溝と、
この弧状の第２の横断溝は、前記ロータの円形状の外周に対して前記ロータの回転方向に行くに従って近づくように傾斜して形成され、
前記弧状の第１の横断溝と前記弧状の第２の横断溝とは、クロスし、
前記弧状の第１の横断溝及び前記弧状の第２の横断溝から離間し、複数の前記バーを横切って複数の前記溝に連通するように設けられた弧状の第３の横断溝と、
この弧状の第３の横断溝は、前記ロータの円形状の外周に対して前記ロータの回転方向に行くに従って遠ざかるように傾斜して形成され、
前記弧状の第１の横断溝及び前記弧状の第２の横断溝から離間し、複数の前記バーを横切るように設けられた弧状の第４の横断溝と、
この弧状の第４の横断溝は、前記ロータの円形状の外周に対して前記ロータの回転方向に行くに従って近づくように傾斜して形成され、
前記弧状の第３の横断溝と前記弧状の第４の横断溝とは、クロスし、
クロスした前記弧状の第１の横断溝と前記弧状の第２の横断溝の他に、少なくとも、クロスした前記弧状の第３の横断溝と前記弧状の第４の横断溝を一組以上有する
ことを特徴とするリファイナ。
【請求項６】
ロータに対向して設けられるステータの形状は、平面視、前記ロータの形状と略同一になるように設けられている
ことを特徴とする請求項１乃至請求項５記載のリファイナ。
【発明の詳細な説明】
【技術分野】
【０００１】
本発明は、パルプの叩解を行うリファイナに係り、特に、パルプの叩解効率の向上を図ったリファイナに関する。
【背景技術】
【０００２】
従来、リファイナ、例えば、リファイナのロータは、直線状のバーと直線状のバーとの間に直線状の溝を有し、前記ロータは、平面視、円形状で、前記バーは傾斜して形成されている（例えば、特許文献１参照）。
前記バーで叩解されたパルプは、直線状の溝を通してリファイナの出口へと向かうようになっている。
【特許文献１】特開平９−２２８２８３号公報
【発明の開示】
【発明が解決しようとする課題】
【０００３】
しかしながら、上記のリファイナにあっては、前記バーで叩解されたパルプは、直線状の溝を通してリファイナの出口へとそのまま向かうため、パルプの叩解効率の向上を図る点において、改善の余地があった。
【０００４】
本発明は、パルプの叩解効率の向上を図ったリファイナを提供することを目的とする。
【課題を解決するための手段】
【０００５】
本発明のリファイナは、ステータとロータとの間でパルプを叩解するリファイナであって、前記ロータは、直線状のバーと直線状のバーとの間に直線状の溝を有するコニカル形で、前記ロータの外周は円形状で、前記バーの前記円形状の外周における接線に対して、前記接線と前記バーとがなす角度の内、前記ロータの回転方向に向かう側の角度が鋭角となるように傾斜して形成され、前記バーと前記溝は、複数であり、複数の前記バーを横切って複数の前記溝に連通するように設けられた少なくとも一つの弧状の横断溝と、この弧状の横断溝は、前記ロータの円形状の外周に対して前記ロータの回転方向に行くに従って遠ざかるように傾斜して形成されているものである。
【０００６】
また、請求項２記載のリファイナは、ステータとロータとの間でパルプを叩解するリファイナであって、前記ロータは、直線状のバーと直線状のバーとの間に直線状の溝を有するコニカル形のロータで、前記ロータの外周は円形状で、前記バーの前記円形状の外周における接線に対して、前記接線と前記バーとがなす角度の内、前記ロータの回転方向に向かう側の角度が鋭角となるように傾斜して形成され、前記バーと前記溝は、複数であり  、複数の前記バーを横切って複数の前記溝に連通するように設けられた少なくとも一つの弧状の横断溝と、この弧状の横断溝は、前記ロータの円形状の外周に対して前記ロータの回転方向に行くに従って近づくように傾斜して形成されているものである。
【０００７】
また、請求項３記載のリファイナは、ステータとロータとの間でパルプを叩解するリファイナであって、前記ロータは、直線状のバーと直線状のバーとの間に直線状の溝を有するコニカル形のロータで、前記ロータの外周は円形状で、前記バーの前記円形状の外周における接線に対して、前記接線と前記バーとがなす角度の内、前記ロータの回転方向に向かう側の角度が鋭角となるように傾斜して形成され、前記バーと前記溝は、複数であり  、複数の前記バーを横切って複数の前記溝に連通するように設けられた弧状の第１の横断溝と、この弧状の第１の横断溝は、前記ロータの円形状の外周に対して前記ロータの回転方向に行くに従って遠ざかるように傾斜して形成され、前記弧状の第１の横断溝と離間し、複数の前記バーを横切って複数の前記溝に連通するように設けられた弧状の第２の横断溝と、この弧状の第２の横断溝は、前記ロータの円形状の外周に対して前記ロータの回転方向に行くに従って近づくように傾斜して形成されているものである。
【０００８】
また、請求項４記載のリファイナは、ステータとロータとの間でパルプを叩解するリファイナであって、前記ロータは、直線状のバーと直線状のバーとの間に直線状の溝を有するコニカル形のロータで、前記ロータの外周は円形状で、前記バーの前記円形状の外周における接線に対して、前記接線と前記バーとがなす角度の内、前記ロータの回転方向に向かう側の角度が鋭角となるように傾斜して形成され、前記バーと前記溝は、複数であり  、複数の前記バーを横切って複数の前記溝に連通するように設けられた弧状の第１の横断溝と、この弧状の第１の横断溝は、前記ロータの円形状の外周に対して前記ロータの回転方向に行くに従って遠ざかるように傾斜して形成され、複数の前記バーを横切って複数の前記溝に連通するように設けられた弧状の第２の横断溝と、この弧状の第２の横断溝は、前記ロータの円形状の外周に対して前記ロータの回転方向に行くに従って近づくように傾斜して形成され、前記弧状の第１の横断溝と前記弧状の第２の横断溝とは、クロスしているものである。
【０００９】
また、請求項５記載のリファイナは、ステータとロータとの間でパルプを叩解するリファイナであって、前記ロータは、直線状のバーと直線状のバーとの間に直線状の溝を有するコニカル形のロータで、前記ロータの外周は円形状で、前記バーの前記円形状の外周における接線に対して、前記接線と前記バーとがなす角度の内、前記ロータの回転方向に向かう側の角度が鋭角となるように傾斜して形成され、前記バーと前記溝は、複数であり  、複数の前記バーを横切って複数の前記溝に連通するように設けられた弧状の第１の横断溝と、この弧状の第１の横断溝は、前記ロータの円形状の外周に対して前記ロータの回転方向に行くに従って遠ざかるように傾斜して形成され、複数の前記バーを横切って複数の前記溝に連通するように設けられた弧状の第２の横断溝と、この弧状の第２の横断溝は、前記ロータの円形状の外周に対して前記ロータの回転方向に行くに従って近づくように傾斜して形成され、前記弧状の第１の横断溝と前記弧状の第２の横断溝とは、クロスし、前記弧状の第１の横断溝及び前記弧状の第２の横断溝から離間し、複数の前記バーを横切って複数の前記溝に連通するように設けられた弧状の第３の横断溝と、この弧状の第３の横断溝は、前記ロータの円形状の外周に対して前記ロータの回転方向に行くに従って遠ざかるように傾斜して形成され、前記弧状の第１の横断溝及び前記弧状の第２の横断溝から離間し、複数の前記バーを横切るように設けられた弧状の第４の横断溝と、この弧状の第４の横断溝は、前記ロータの円形状の外周に対して前記ロータの回転方向に行くに従って近づくように傾斜して形成され、前記弧状の第３の横断溝と前記弧状の第４の横断溝とは、クロスし、クロスした前記弧状の第１の横断溝と前記弧状の第２の横断溝の他に、少なくとも、クロスした前記弧状の第３の横断溝と前記弧状の第４の横断溝を一組以上有するものである。
【００１０】
また、請求項６記載のリファイナは、請求項１乃至請求項５記載のリファイナにおいて、ロータに対向して設けられるステータの形状は、平面視、前記ロータの形状と略同一になるように設けられているものである。
【発明の効果】
【００１１】
請求項１記載のリファイナによれば、直線状のバーと直線状のバーとの間に形成された直線状の溝を通過する叩解されたパルプは、複数の前記バーを横切って複数の前記溝に連通するように設けられた少なくとも一つの弧状の横断溝により、該横断溝を通過するパルプと該溝を通過するパルプとが衝突して解され、パルプの叩解効率を向上させることができる。
【００１２】
また、請求項２記載のリファイナによれば、直線状のバーと直線状のバーとの間に形成された直線状の溝を通過する叩解されたパルプは、複数の前記バーを横切って複数の前記溝に連通するように設けられた少なくとも一つの弧状の横断溝により、該横断溝を通過するパルプと該溝を通過するパルプとが衝突して解され、また、横断溝の弧状は、ロータの円形状の外周に対してロータの回転方向に行くに従って近づくように形成されているため、叩解されたパルプが出にくくなり、叩解されたパルプのリファイナ内の滞留時間を長くして、パルプの叩解効率を向上させることができる。
【００１３】
また、請求項３記載のリファイナによれば、直線状のバーと直線状のバーとの間に形成された直線状の溝を通過する叩解されたパルプは、複数の前記バーを横切って複数の前記溝に連通するように設けられた弧状の第１の横断溝により、該第１の横断溝を通過するパルプと該溝を通過するパルプとが衝突して解され、また、複数の前記バーを横切って複数の前記溝に連通するように設けられた弧状の第２の横断溝により、該第２の横断溝を通過するパルプと該溝を通過するパルプとが衝突して解され、パルプの叩解効率を向上させることができる。
【００１４】
また、請求項４記載のリファイナによれば、直線状のバーと直線状のバーとの間に形成された直線状の溝を通過する叩解されたパルプは、該溝がバーを横切る弧状の第１の横断溝又は第２の横断溝へ連通しているため、該横断溝を通過するパルプと該溝を通過するパルプとが衝突して解され、また、第１の横断溝と第２の横断溝とは、クロスしているため、該クロスしている部位でのパルプ同士の衝突により、パルプは解され、更に、第２の横断溝の弧状は、ロータの円形状の外周に対してロータの回転方向に行くに従って近づくように形成されているため、叩解されたパルプが出にくくなり、叩解されたパルプのリファイナ内の滞留時間を長くして、パルプの叩解効率を向上させることができる。
【００１５】
また、請求項５記載のリファイナによれば、上述した請求項４記載の発明の効果に加え、クロスした弧状の第１の横断溝と弧状の第２の横断溝の他に、少なくとも、クロスした弧状の第３の横断溝と弧状の第４の横断溝を一組以上有するため、クロスする部位が多い分、パルプ同士の衝突により、パルプはより解され、パルプの叩解効率をより向上させることができる。
【発明を実施するための最良の形態】
【００１６】
本発明のリファイナの一実施例を図面を参照して説明する。
図１乃至図７において、１はリファイナで、リファイナ１は、図１に示すように、コニカル形のステータ４とコニカル形のロータ３との間でパルプを叩解するもので、コニカル形のロータ３は、回転軸２に取り付けられ、このロータ３に対向するようにステータ４がケーシングＣの内壁に設けられている。なお、コニカル形のロータ３は、後述する第１の円錐部３１と第２の円錐部３２とを備えているが、本発明にあっては、略円錐形状の第１の円錐部３１、略円錐形状の第２の円錐部３２の内、何れか一つの円錐部があれば良い  。
【００１７】
５は駆動源（例えば、モータ）、６は継ぎ手、７は内部に軸受けを有し、水平方向に移動する回転軸２を保持する保持部材である。
また、８はケーシングＣ内に原料であるパルプを供給する原料供給通路で、原料供給通路８は、第１の原料供給通路８１と第２の原料供給通路８２を有し、第１の原料供給通路８１は、第１の円錐部３１が位置する第１の室Ｒ1に、第２の円錐部３２が位置する第２の室Ｒ2に、それぞれ連通している。９は、ロータ３とステータ４との間で叩解されたパルプをケーシングＣの外へと排出する出口通路である。
【００１８】
第１の円錐部３１は、図２及び図３に示すように、直線状のバー３１ａと直線状のバー３１ａとの間に直線状の溝３１ｂを有する。
この第１の円錐部（ロータ）３１の外周Ｇは円形状で、バー３１ａの前記略円形状の外周Ｇにおける接線Ｓに対して、接線Ｓとバー３１ａとがなす角度（θ、１８０°−θ）の内、第１の円錐部（ロータ）３１の回転方向に向かう［図３では第１の円錐部（ロータ）３１の回転方向は、反時計回り］側の角度θが鋭角となるように傾斜して形成されている  。そして、バー３１ａと溝３１ｂは、複数あって、それぞれ平行となっている。
３１ｃは、複数のバー３１ａを横切って複数の溝３１ｂに連通するように設けられた弧状の横断溝３１ｃで、この弧状の横断溝３１ｃは、第１の円錐部（ロータ）３１の円形状の外周Ｇに対して第１の円錐部（ロータ）３１の回転方向に行くに従って遠ざかるように傾斜して形成されている。
なお、弧状の横断溝３１ｃは、図３において、一つ図示されているが、複数でも良く、本発明にあっては、弧状の横断溝３１ｃは、少なくとも、一つあれば良い。
【００１９】
また、第２の円錐部３２は、第１の円錐部３１と同様に、図２及び図４に示すように、直線状のバー３２ａと直線状のバー３２ａとの間に直線状の溝３２ｂを有する。
この第２の円錐部（ロータ）３２の外周Ｇは円形状で、バー３２ａの前記略円形状の外周Ｇにおける接線Ｓ’に対して、接線Ｓ’とバー３２ａとがなす角度（θ’、１８０°−θ’）の内、第２の円錐部（ロータ）３２の回転方向に向かう［図４では第２の円錐部（ロータ）３２の回転方向は、時計回り］側の角度θ’が鋭角となるように傾斜して形成されている。そして、バー３２ａと溝３２ｂは、複数あって、それぞれ平行となっている  。３２ｃは、複数のバー３２ａを横切って複数の溝３２ｂに連通するように設けられた弧状の横断溝３２ｃで、この弧状の横断溝３２ｃは、第２の円錐部（ロータ）３２の円形状の外周Ｇに対して第２の円錐部（ロータ）３２の回転方向に行くに従って遠ざかるように傾斜して形成されている。
なお、弧状の横断溝３２ｃは、図４において、一つ図示されているが、複数でも良く  、本発明にあっては、弧状の横断溝３２ｃは、少なくとも、一つあれば良い。
【００２０】
また、第１の円錐部（ロータ）３１に対向して設けられる第１のステータ（ステータ）４１の形状は、平面視、第１の円錐部（ロータ）３１の形状と略同一になるように設けられている[図３、図５及び図６参照]。
即ち、第１のステータ（ステータ）４１は、図６に示すように、直線状のバー４１ａと直線状のバー４１ａとの間に直線状の溝４１ｂを有し、バー４１ａの前記円形状の外周Ｇ1における接線Ｓ1に対して、接線Ｓ1とバー４１ａとがなす角度（θ、１８０°−θ）の内、第１の円錐部（ロータ）３１の回転方向に向かう［図３では第１の円錐部（ロータ）３１の回転方向は、反時計回り］側の角度（１８０°−θ）と異なる他の一の角度θが鋭角となるように傾斜して形成されている。そして、バー４１ａと溝４１ｂは、複数あって、それぞれ平行となっている。
４１ｃは、複数のバー４１ａを横切って複数の溝４１ｂに連通するように設けられた弧状の横断溝で、この弧状の横断溝４１ｃは、第１のステータ（ステータ）４１の円形状の外周Ｇ1に対して、平面視、第１のステータ（ステータ）４１の反時計方向に行くに従って遠ざかるように傾斜して形成されている（図６参照）。
なお、弧状の横断溝４１ｃは、図６において、一つ図示されているが、複数でも良く  、本発明にあっては、弧状の横断溝４１ｃは、少なくとも、一つあれば良い。
【００２１】
また、第２の円錐部（ロータ）３２に対向して設けられる第２のステータ（ステータ）４２の形状は、平面視、ロータ３２の形状と略同一になるように設けられている[図４、図５及び図７参照]。                 
即ち、第２のステータ（ステータ）４２は、直線状のバー４２ａと直線状のバー４２ａとの間に直線状の溝４２ｂを有し、バー４２ａの前記円形状の外周Ｇ1’における接線Ｓ1 ’に対して、接線Ｓ1 ’とバー４２ａとがなす角度（θ ’、１８０°−θ ’）の内  、第２の円錐部（ロータ）３２の回転方向に向かう［図４では第２の円錐部（ロータ）３２の回転方向は、時計回り］側の角度（１８０°−θ’）と異なる他の一の角度θ’が鋭角となるように傾斜して形成されている。そして、バー４２ａと溝４２ｂは、複数あって、それぞれ平行となっている。
４２ｃは、複数のバー４２ａを横切って複数の溝４２ｂに連通するように設けられた弧状の横断溝で、この弧状の横断溝４２ｃは、第２のステータ（ステータ）４２の円形状の外周Ｇ1’に対して、平面視、第２のステータ（ステータ）４２の時計方向に行くに従って遠ざかるように傾斜して形成されている（図７参照）。
なお、弧状の横断溝４２ｃは、図７において、一つ図示されているが、複数でも良く  、本発明にあっては、弧状の横断溝４２ｃは、少なくとも、一つあれば良い。
【００２２】
従って、第１の原料供給通路８１、８２を介して供給されたパルプは、ロータ３とステータ４との間で叩解される。
その際、第１の円錐部（ロータ）３１と第１のステータ（ステータ）４１とで叩解されたパルプは、ロータ３１側においては、直線状のバー３１ａと直線状のバー３１ａとの間に形成された直線状の溝３１ｂを通過すると共に、溝３１ｂがバー３１ａを横切る弧状の横断溝３１ｃへ連通しているため、該横断溝３１ｃを通過するパルプと該溝３１ｂを通過するパルプとが衝突して解されることとなる。
ステータ４１側においても、ロータ３１側と同様に、直線状のバー４１ａと直線状のバー４１ａとの間に形成された直線状の溝４１ｂを通過すると共に、溝４１ｂがバー４１ａを横切る弧状の横断溝４１ｃへ連通しているため、該横断溝４１ｃを通過するパルプと該溝４１ｂを通過するパルプとが衝突して解されることとなる。
その結果、パルプの叩解効率を向上させることができる[なお、第２の円錐部３２（ロータ）と第２のステータ（ステータ）４２とにおいても、第１の円錐部３１（ロータ）と第１のステータ（ステータ）４１と同様、パルプの衝突により解される。]。
また、上述した実施例のリファイナ１においては、第１の円錐部（ロータ）３１に対して第１のステータ（ステータ）４１、第２の円錐部（ロータ）３２に対して第２のステータ（ステータ）４２、と複数備えているが、単一のロータに対して単一のステータとしても良い。  
【００２３】
上述した実施例（図１乃至図７）においては、弧状の横断溝３１ｃは、図３及び図４に示すように、第１の円錐部（ロータ）３１及び第２の円錐部（ロータ）３２の円形状の外周Ｇに対して、第１の円錐部（ロータ）３１及び第２の円錐部（ロータ）３２の回転方向に行くに従って遠ざかるように形成されているが、本願発明にあっては、これに限らず  、逆に、形成しても良い（図８及び図９参照）。なお、図８は、図３に示す第１の円錐部（ロータ）３１の第１の変形例であり、図９は、図６に示す第１のステータ（ステータ）４１の第１の変形例を示したもので、上述した実施例と同一部分に同一符号を付して  、その説明を一部省略する。
【００２４】
即ち、図８に示すように、第１の円錐部（ロータ）３１の外周Ｇは円形状で、バー３１ａの前記略円形状の外周Ｇにおける接線Ｓに対して、接線Ｓとバー３１ａとがなす角度（θ、１８０°−θ）の内、第１の円錐部（ロータ）３１の回転方向に向かう［図８では第１の円錐部（ロータ）３１の回転方向は、反時計回り］側の角度θが鋭角となるように傾斜して形成されている。また、弧状の横断溝３１ｄは、第１の円錐部（ロータ）３１の円形状の外周Ｇに対して、第１の円錐部（ロータ）３１の回転方向に行くに従って近づくように傾斜して形成されている。
なお、弧状の横断溝３１ｄは、図８において、一つ図示されているが、複数でも良く、本発明にあっては、弧状の横断溝３１ｄは、少なくとも、一つあれば良い。
【００２５】
この実施例においても、上述の実施例と同様に、直線状のバー３１ａと直線状のバー３１ａとの間に直線状の溝３１ｂを有するコニカル形の第１の円錐部（ロータ）３１であって、バー３１ａと溝３１ｂは、複数設けられている構成となっている。そして、弧状の横断溝３１ｄは、複数のバー３１ａを横切って複数の溝３１ｂに連通するように設けられている。
その結果、直線状のバー３１ａと直線状のバー３１ａとの間に形成された直線状の溝３１ｂを通過する叩解されたパルプは、該溝３１ｂがバー３１ａを横切る弧状の横断溝３１ｄへ連通しているため、該横断溝３１ｄを通過するパルプと該溝３１ｂを通過するパルプとが衝突して解される。
加えて、弧状の横断溝３１ｄは、第１の円錐部（ロータ）３１の円形状の外周Ｇに対して第１の円錐部（ロータ）３１の回転方向に行くに従って近づくように傾斜して形成されているため、叩解されたパルプが出にくくなり、叩解されたパルプのリファイナ１内の滞留時間を長くして、パルプの叩解効率を向上させることができる。
【００２６】
この実施例においても、上述の実施例と同様、第１の円錐部（ロータ）３１に対向して設けられる第１のステータ（ステータ）４１の形状は、平面視、第１の円錐部（ロータ）３１の形状と略同一になるように設けられている。
即ち、図９に示すように、直線状のバー４１ａと直線状のバー４１ａとの間に直線状の溝４１ｂを有し、この第１のステータ（ステータ）４１は、平面視、円形状で、バー４１ａの前記円形状の外周Ｇ1における接線Ｓ1に対して、接線Ｓ1とバー４１ａとがなす角度（θ、１８０°−θ）の内、第１の円錐部３１（ロータ）の回転方向に向かう［図８では第１の円錐部（ロータ）３１の回転方向は、反時計回り］側の角度（１８０°−θ）と異なる他の一の角度θが鋭角となるように傾斜して形成されている。そして、バー４１ａと溝４１ｂは、複数あって、それぞれ平行となっている。
４１ｄは、複数のバー４１ａを横切って複数の溝４１ｂに連通するように設けられ横切るように設けられた弧状の横断溝で、この弧状の横断溝４１ｄは、第１のステータ（ステータ）４１の円形状の外周Ｇ1に対して、平面視、第１のステータ（ステータ）４１の反時計方向に行くに従って近づくように傾斜して形成されている。なお、弧状の横断溝４１ｄは、図９において、一つ図示されているが、複数でも良く、本発明にあっては、弧状の横断溝４１ｃは、少なくとも、一つあれば良い。
【００２７】
上述した実施例（図１乃至図７）においては、弧状の横断溝３１ｃは、図３及び図４に示すように、第１の円錐部（ロータ）３１及び第２の円錐部（ロータ）３２の円形状の外周に対して、第１の円錐部３１（ロータ）及び第２の円錐部（ロータ）３２の回転方向に行くに従って遠ざかるように傾斜して形成されているが、本願発明にあっては、これに限らず、図１乃至図７記載の実施例と図８及び図９記載の実施例を組み合わせても良い（図１０及び図１１参照）。なお、図１０は、図３に示す第１の円錐部（ロータ）３１の第２の変形例であり、図１１は、図６に示す第１のステータ（ステータ）４１の第２の変形例を示したもので、図１０及び図１１においては、上述した実施例と同一部分に同一符号を付して、その説明を一部省略する。
【００２８】
即ち、図１０に示すように、第１の円錐部（ロータ）３１の外周は円形状で、バー３１ａの前記略円形状の外周における接線Ｓに対して、接線Ｓとバー３１ａとがなす角度の内、第１の円錐部（ロータ）３１の回転方向に向かう［図１０では第１の円錐部（ロータ）３１の回転方向は、反時計回り］側の角度θが鋭角となるように傾斜して形成されている。また、複数のバー３１ａを横切って複数の溝３１ｂに連通するように設けられた弧状の第１の横断溝３１ｅは、ロータ３１の円形状の外周Ｇに対してロータ３１の回転方向（ロータ３１の回転方向は、例えば、図１０に示す反時計回りである。）に行くに従って遠ざかるように傾斜して形成されている。また、３１ｆは、弧状の第１の横断溝３１ｅと離間し、複数のバー３１ａを横切って複数の溝３１ｂに連通するように設けられた弧状の第２の横断溝で、この弧状の第２の横断溝３１ｆは、ロータ３１の円形状の外周Ｇに対してロータ３１の回転方向に行くに従って近づくように傾斜して形成され、第２の横断溝３１ｆは、第１の横断溝３１ｅよりロータ３１の外周に近い側に位置している（なお、図示しないが、図１０とは逆に、第１の横断溝３１ｅが、第２の横断溝３１ｆよりロータ３１の外周に近い側に位置していても良い。）。
【００２９】
この実施例においても、上述の実施例と同様に、直線状のバー３１ａと直線状のバー３１ａとの間に直線状の溝３１ｂを有するコニカル形の第１の円錐部（ロータ）３１であって、バー３１ａと溝３１ｂは、複数設けられている構成となっている。
その結果、直線状のバー３１ａと直線状のバー３１ａとの間に形成された直線状の溝３１ｂを通過する叩解されたパルプは、該溝３１ｂがバー３１ａを横切る弧状の第１の横断溝３１ｅ及び第２の横断溝３１ｆへ連通しているため、該弧状の第１の横断溝３１ｅ及び第２の横断溝３１ｆを通過するパルプと該溝３１ｂを通過するパルプとが衝突して解される。
【００３０】
この実施例においても、上述の実施例と同様、第１の円錐部（ロータ）３１に対向して設けられる第１のステータ（ステータ）４１の形状は、平面視、第１の円錐部（ロータ）３１の形状と略同一になるように設けられている。
即ち、図１１に示すように、直線状のバー４１ａと直線状のバー４１ａとの間に直線状の溝４１ｂを有し、この第１のステータ（ステータ）４１は、平面視、円形状で、バー４１ａの前記円形状の外周Ｇ1における接線Ｓ1に対して、接線Ｓ1とバー４１ａとがなす角度（θ、１８０°−θ）の内、第１の円錐部３１（ロータ）の回転方向に向かう［図１０では第１の円錐部（ロータ）３１の回転方向は、反時計回り］側の角度（１８０°−θ）と異なる他の一の角度θが鋭角となるように傾斜して形成されている。そして、バー４１ａと溝４１ｂは、複数あって、それぞれ平行となっている。また、複数のバー４１ａを横切って複数の溝４１ｂに連通するように設けられた弧状の第１の横断溝４１ｅは、平面視、第１のステータ（ステータ）４１の時計方向に行くに従って近づくように傾斜して形成されている。また、４１ｆは、弧状の第１の横断溝４１ｅと離間し、複数のバー４１ａを横切って複数の溝４１ｂに連通するように設けられた弧状の第２の横断溝で、この弧状の第２の横断溝４１ｆは、第１のステータ（ステータ）４１の円形状の外周に対してステータ４１の反時計方向に行くに従って近づくように傾斜して形成され、第２の横断溝４１ｆは、第１の横断溝４１ｅよりステータ４１の外周に近い側に位置している（なお、図示しないが、図１１とは逆に、第１の横断溝４１ｅが、第２の横断溝４１ｆよりステータ４１の外周に近い側に位置していても良い。）。
【００３１】
上述した実施例（図１０及び図１１）においては、弧状の第１の横断溝３１ｅは、第１の円錐部（ロータ）３１の円形状の外周に対して、第１の円錐部（ロータ）３１の回転方向に行くに従って遠ざかるように傾斜して形成され、弧状の第２の横断溝３１ｆは、第１の円錐部（ロータ）３１の円形状の外周に対して、第１の円錐部（ロータ）３１の回転方向に行くに従って近づくように傾斜して形成され（図１０参照）、また、弧状の第１の横断溝４１ｅは、平面視、第１のステータ（ステータ）４１の時計方向に向かって近づくように傾斜して形成され、弧状の第２の横断溝４１ｆは、第１のステータ（ステータ）４１の円形状の外周に対してステータ４１の回転方向に行くに従って近づくように傾斜して形成されている（図１１参照）が、本願発明にあっては、これに限らず、両者を組み合わせたものでも良い（図１２及び図１３参照）。なお、図１２は、図３に示す第１の円錐部（ロータ）３１の第３の変形例であり、図１３は、図６に示す第１のステータ（ステータ）４１の第３の変形例を示したもので、図１２及び図１３においては、上述した実施例と同一部分に同一符号を付して、その説明を一部省略する。
【００３２】
即ち、図１２に示すように、第１の円錐部（ロータ）３１の外周は円形状で、バー３１ａの円形状の外周Ｇにおける接線Ｓに対して、接線Ｓとバー３１ａとがなす角度（θ、１８０°−θ）の内、第１の円錐部（ロータ）３１の回転方向に向かう側の角度θが鋭角となるように傾斜して形成され、バー３１ａと溝３１ｂは、複数となっている。そして、複数のバー３１ａを横切って複数の溝３１ｂに連通するように設けられた弧状の第１の横断溝３１ｅは、第１の円錐部（ロータ）３１の円形状の外周Ｇに対して第１の円錐部（ロータ）３１の回転方向に行くに従って遠ざかるように傾斜して形成されている。
また、複数のバー３１ａを横切って複数の溝３１ｂに連通するように設けられた弧状の第２の横断溝３１ｆは、第１の円錐部（ロータ）３１の円形状の外周Ｇに対して第１の円錐部（ロータ）３１の回転方向に行くに従って近づくように傾斜して形成され、弧状の第１の横断溝３１ｅと弧状の第２の横断溝３１ｆとは、クロスしている。
【００３３】
この実施例においても、上述の実施例と同様、第１の円錐部（ロータ）３１に対向して設けられる第１のステータ（ステータ）４１の形状は、平面視、第１の円錐部（ロータ）３１の形状と略同一になるように設けられている。
即ち、図１３に示すように、直線状のバー４１ａと直線状のバー４１ａとの間に直線状の溝４１ｂを有し、この第１のステータ（ステータ）４１は、平面視、円形状で、バー４１ａの前記円形状の外周Ｇ1における接線Ｓ1に対して、接線Ｓ1とバー４１ａとがなす角度（θ、１８０°−θ）の内、第１の円錐部（ロータ）３１の回転方向に向かう［図１３では第１の円錐部（ロータ）３１の回転方向は、反時計回り］側の角度（１８０°−θ）と異なる他の一の角度θが鋭角となるように傾斜して形成されている。そして、バー４１ａと溝４１ｂは、複数あって、それぞれ平行となっている。そして、複数のバー４１ａを横切って複数の溝４１ｂに連通するように設けられた弧状の第１の横断溝４１ｅは、平面視、第１のステータ（ステータ）４１の時計方向に行くに従って近づくように傾斜して形成されている。また、複数のバー４１ａを横切って複数の溝４１ｂに連通するように設けられた弧状の第２の横断溝４１ｆは、平面視、第１のステータ（ステータ）４１の時計方向に行くに従って遠ざかるように形成され、弧状の第１の横断溝４１ｅと弧状の第２の横断溝４１ｆとは、クロスしている。
【００３４】
この実施例においても、上述の実施例と同様に、直線状のバー３１ａと直線状のバー３１ａとの間に形成された直線状の溝３１ｂを通過する叩解されたパルプは、該溝３１ｂがバー３１ａを横切る弧状の第１の横断溝３１ｃ又は第２の横断溝３１ｄへ連通しているため、該横断溝３１ｃ、３１ｄを通過するパルプと該溝３１ｂを通過するパルプとが衝突して解される。
加えて、弧状の第１の横断溝３１ｅと弧状の第２の横断溝３１ｆとは、クロスしているため、該クロスしている部位でのパルプ同士の衝突により、パルプは解され、更に、弧状の第２の横断溝３１ｆは、第１の円錐部（ロータ）３１の円形状の外周Ｇに対して第１の円錐部（ロータ）３１の回転方向に行くに従って近づくように傾斜して形成されているため、叩解されたパルプが出にくくなり、叩解されたパルプのリファイナ１内の滞留時間を長くして、パルプの叩解効率を向上させることができる。
【００３５】
上述した実施例（図１３及び図１４）においては、クロスした弧状の第１の横断溝３１ｅと弧状の第２の横断溝３１ｆとを１組設けたが、本願発明にあってはこれに限らず、弧状の第１の横断溝３１ｅと弧状の第２の横断溝３１ｆの他に、少なくとも、クロスした第３の横断溝３１ｇと第４の横断溝３１ｈを一組以上有するようにして、クロスする部位を多くして、パルプ同士の衝突により、パルプはより解され、パルプの叩解効率をより向上させるようにしても良い（図１４及び図１５参照）。
なお、図１４は、図３に示す第１の円錐部（ロータ）３１の第４の変形例であり、図１５は、図６に示す第１のステータ（ステータ）４１の第４の変形例を示したもので、図１４及び図１５においては、上述した実施例と同一部分に同一符号を付して、その説明を一部省略する。
【００３６】
即ち、図１４に示すように、第１の円錐部（ロータ）３１の外周は円形状で、バー３１ａの円形状の外周Ｇにおける接線Ｓに対して、接線Ｓとバー３１ａとがなす角度（θ、１８０°−θ）の内、第１の円錐部（ロータ）３１の回転方向に向かう側の角度θが鋭角となるように傾斜して形成され、バー３１ａと溝３１ｂは、複数となっている。そして、複数のバー３１ａを横切って複数の溝３１ｂに連通するように設けられた弧状の第１の横断溝３１ｅは、第１の円錐部（ロータ）３１の円形状の外周Ｇに対して第１の円錐部（ロータ）３１の回転に向かって遠ざかるように傾斜して形成されている。
また、複数のバー３１ａを横切って複数の溝３１ｂに連通するように設けられた弧状の第２の横断溝３１ｆは、第１の円錐部（ロータ）３１の円形状の外周Ｇに対して第１の円錐部（ロータ）３１の回転方向に行くに従って近づくように傾斜して形成され、弧状の第１の横断溝３１ｅと弧状の第２の横断溝３１ｆとは、クロスしている。
また、複数のバー３１ａを横切って複数の溝３１ｂに連通するように設けられた弧状の第３の横断溝３１ｇは、第１の円錐部（ロータ）３１の円形状の外周Ｇに対して第１の円錐部（ロータ）３１の回転方向に行くに従って遠ざかるように傾斜して形成されている。
また、複数のバー３１ａを横切って複数の溝３１ｂに連通するように設けられた弧状の第４の横断溝３１ｈは、第１の円錐部（ロータ）３１の円形状の外周Ｇに対して第１の円錐部（ロータ）３１の回転方向に行くに従って近づくように傾斜して形成され、弧状の第３の横断溝３１ｇと弧状の第４の横断溝３１ｈとは、クロスしている。
クロスした弧状の第１の横断溝３１ｅ、弧状の第２の横断溝３１ｆとクロスした弧状の第３の横断溝３１ｇと弧状の第４の横断溝３１ｈとは、離間している。
【００３７】
この実施例においても、上述の実施例と同様、第１の円錐部（ロータ）３１に対向して設けられる第１のステータ（ステータ）４１の形状は、平面視、第１の円錐部（ロータ）３１の形状と略同一になるように設けられている。
即ち、図１５に示すように、直線状のバー４１ａと直線状のバー４１ａとの間に直線状の溝４１ｂを有し、この第１のステータ（ステータ）４１は、平面視、円形状で、バー４１ａの前記円形状の外周Ｇ1における接線Ｓ1に対して、接線Ｓ1とバー４１ａとがなす角度（θ、１８０°−θ）の内、第１の円錐部（ロータ）３１の回転方向に向かう［図１４では第１の円錐部（ロータ）３１の回転方向は、反時計回り］側の角度（１８０°−θ）と異なる他の一の角度θが鋭角となるように傾斜して形成されている。そして、バー４１ａと溝４１ｂは、複数あって、それぞれ平行となっている。そして、複数のバー４１ａを横切って複数の溝４１ｂに連通するように設けられた弧状の第１の横断溝４１ｅは、平面視、第１のステータ（ステータ）４１の時計方向に行くに従って近づくように傾斜して形成されている。また、複数のバー４１ａを横切って複数の溝４１ｂに連通するように設けられた弧状の第２の横断溝４１ｆは、平面視、第１のステータ（ステータ）４１の時計方向に行くに従って遠ざかるように傾斜して形成され、弧状の第１の横断溝４１ｅと弧状の第２の横断溝４１ｆとは、クロスしている。
また、複数のバー４１ａを横切って複数の溝４１ｂに連通するように設けられた弧状の第３の横断溝４１ｇは、平面視、第１のステータ（ステータ）４１の時計方向に行くに従って遠ざかるように傾斜して形成され、弧状の第４の横断溝４１ｅと弧状の第２の横断溝４１ｈとは、クロスしている。
クロスした弧状の第１の横断溝４１ｅ、弧状の第２の横断溝４１ｆとクロスした弧状の第３の横断溝４１ｇと弧状の第４の横断溝４１ｈとは、離間している。
【００３８】
この実施例においても、上述の実施例と同様に、直線状のバー３１ａと直線状のバー３１ａとの間に形成された直線状の溝３１ｂを通過する叩解されたパルプは、該溝３１ｂがバー３１ａを横切る弧状の第１の横断溝３１ｅ、第２の横断溝３１ｆ、第３の横断溝３１ｇ、第４の横断溝３１ｈへ連通しているため、該横断溝３１ｃ、３１ｄを通過するパルプと該溝３１ｂを通過するパルプとが衝突して解される。
加えて、弧状の第１の横断溝３１ｅと弧状の第３の横断溝３１ｇ、弧状の第２の横断溝３１ｆと弧状の第４の横断溝３１ｈとは、それぞれクロスしているため、該クロスしている部位でのパルプ同士の衝突により、パルプは解され、更に、弧状の第２の横断溝３１ｆ、第３の横断溝３１ｇは、第１の円錐部（ロータ）３１の円形状の外周Ｇに対して第１の円錐部（ロータ）３１の回転方向に行くに従って近づくように傾斜して形成されているため、叩解されたパルプが出にくくなり、叩解されたパルプのリファイナ１内の滞留時間を長くして  、パルプの叩解効率を向上させることができる。この実施例（図１４及び図１５）においては、クロスする部位が多い分、パルプ同士の衝突により、パルプはより解され、パルプの叩解効率をより向上させることができる。
【図面の簡単な説明】
【００３９】
【図１】図１は、本発明の一実施例のリファイナの概略的断面図である。
【図２】図２は、図１のロータの一部を拡大して示す概略的一部拡大断面図である。
【図３】図３は、図２の矢印Ａから見た概略的一部平面図である。
【図４】図４は、図２の矢印Ｂから見た概略的一部平面図である。
【図５】図５は、図１のステータの一部を拡大して示す概略的一部拡大断面図である。
【図６】図６は、図５の矢印Ａ’から見た概略的一部平面図である。
【図７】図７は、図５の矢印Ｂ’から見た概略的一部平面図である。
【図８】図８は、図３記載のロータと異なる他の実施例（第１の他の実施例）のロータの一部を拡大して示す概略的一部拡大平面図である。
【図９】図９は、図６記載のステータと異なる他の実施例（第１の他の実施例）のステータの一部を拡大して示す概略的一部拡大平面図である。
【図１０】図１０は、図３記載のロータと異なる他の実施例（第２の他の実施例）のロータの一部を拡大して示す概略的一部拡大平面図である。
【図１１】図１１は、図６記載のステータと異なる他の実施例（第２の他の実施例）のステータの一部を拡大して示す概略的一部拡大平面図である。
【図１２】図１２は、図３記載のロータと異なる他の実施例（第３の他の実施例）のロータの一部を拡大して示す概略的一部拡大平面図である。
【図１３】図１３は、図６記載のステータと異なる他の実施例（第３の他の実施例）のステータの一部を拡大して示す概略的一部拡大平面図である。
【図１４】図１４は、図３記載のロータと異なる他の実施例（第４の他の実施例）のロータの一部を拡大して示す概略的一部拡大平面図である。
【図１５】図１５は、図６記載のステータと異なる他の実施例（第４の他の実施例）のステータの一部を拡大して示す概略的一部拡大平面図である。
【符号の説明】
【００４０】
１    リファイナ
３    ロータ
４    ステータ
３１ａ    バー
３１ｂ    溝
３１ｃ    横断溝
Ｓ    接線
θ    角度
【図１】
2007113138.tif 000003
【図２】
2007113138.tif 000004
【図３】
2007113138.tif 000005
【図４】
2007113138.tif 000006
【図５】
2007113138.tif 000007
【図６】
2007113138.tif 000008
【図７】
2007113138.tif 000009
【図８】
2007113138.tif 000010
【図９】
2007113138.tif 000011
【図１０】
2007113138.tif 000012
【図１１】
2007113138.tif 000013
【図１２】
2007113138.tif 000014
【図１３】
2007113138.tif 000015
【図１４】
2007113138.tif 000016
【図１５】
2007113138.tif 000017